(57)【要約】　　　（修正有）【課題】ディスクの記録面への異物の付着や傷の発生を防止できること。【解決手段】挿入されたディスク１１をチャッキング位置まで搬送するディスクドライブ装置のローディング機構において、装置フレーム１５におけるディスク挿入辺側に、当該挿入辺に沿ってばね付勢された状態で移動可能に設けられると共に、上記ディスクの周縁に当接可能なピンＡを備えたディスクスライダ１９を有し、装置フレーム１５におけるディスク挿入辺に隣接する辺側に、ディスクの周縁に当接可能なピンＢを先端に備えると共に、ばね付勢された状態で回動可能に設けられたディスクアーム２０を有し、ディスク挿入時にピンＡとピンＢがディスクにより押し広げられ、変曲点通過後に、これらのピンＡとピンＢが、スライダスプリング２７及びアームスプリング３１のそれぞれのばね付勢力によりディスクを装置フレーム１５の内側へ押し込むよう構成されたものである。【選択図】　　　図７
2004039200.tif 000002
【特許請求の範囲】
【請求項１】
挿入されたディスクをチャッキング位置まで搬送するディスクドライブ装置のローディング機構において、
装置フレームにおけるディスク挿入辺側に、当該挿入辺に沿ってばね付勢された状態で移動可能に設けられると共に、上記ディスクの周縁に当接可能なピンＡを有し、
上記装置フレームにおける上記ディスク挿入辺に隣接する辺側に、上記ディスクの周縁に当接可能なピンＢを先端に備えると共に、ばね付勢された状態で回動可能に設けられたディスクアームを有し、
ディスク挿入時に上記ピンＡと上記ピンＢが当該ディスクにより押し広げられ、変曲点通過後に、これらのピンＡとピンＢがばね付勢力により当該ディスクを上記装置フレームの内側へ押し込むよう構成されたことを特徴とするディスクドライブ装置のローディング機構。
【請求項２】
上記装置フレームにおけるディスク挿入辺に対向して、ディスクの周縁に当接可能なディスクストッパが回動可能に設けられ、このディスクストッパの回動により、上記ディスクがチャッキング位置に位置決めされるよう構成されたことを特徴とする請求項１に記載のディスクドライブ装置のローディング機構。
【請求項３】
装置フレームにおけるディスクアームに対向して、ディスクの周縁に当接可能なピンＣを備えたセンサリンクが回動可能に設けられ、ディスク挿入時に上記ピンＣが、チャッキング位置まで搬送されるディスクの位置を規制するよう構成されたことを特徴とする請求項１または２に記載のディスクドライブ装置のローディング機構。
【請求項４】
上記センサリンクは、ディスクを規制する位置まで回動したときに、ディスクストッパを回動させる駆動系を起動させるよう構成されたことを特徴とする請求項１乃至３のいずれかに記載のディスクドライブ装置のローディング機構。
【請求項５】
上記ピンＡ、ピンＢ、ピンＣ及びディスクストッパは、ディスクがチャッキング位置においてターンテーブルにチャッキングされた後に、駆動系の動作により当該ディスクから退避されるよう構成されたことを特徴とする請求項１乃至４のいずれかに記載のディスクドライブ装置のローディング機構。
【発明の詳細な説明】
【０００１】
【発明の属する技術分野】
本発明は、ディスクドライブ装置のローディング機構に関する。
【０００２】
【従来の技術】
パーソナルコンピュータに搭載されるディスクドライブ装置において、ディスクを搬送する駆動メカニズム（ローディング機構）は、トレイ方式が採用されているものがある（第１従来技術）。この方式では、ユーザーがトレイを手操作で引き出し、このトレイに設けられたターンテーブルにディスクを押しつけてチャッキングし、このトレイを再度手操作で押し込むため、操作性が劣る。
【０００３】
これに対し、ホームオーディオ機器や車載用オーディオ機器に搭載されるディスクドライブ装置において、ディスクを搬送する駆動メカニズム（ローディング機構）は、スロットイン方式が採用されているものがある。このスロットイン方式では、ディスクを装置内に押し込むだけであるため、第１従来技術のトレイ方式に比べ操作性が優れている。
【０００４】
このスロットイン方式には搬送ローラを使用し、この搬送ローラをディスクの記録面またはラベル面に接触させて、摩擦駆動によりディスクを搬送するもの（第２従来技術）と、搬送ベルトや搬送プーリを使用し、これらの搬送ベルトなどをディスクの側面に接触させて、摩擦駆動によりディスクを搬送するもの（第３従来技術）とがある。
【０００５】
【発明が解決しようとする課題】
ところが、上記スロットイン方式のローディング機構では、ディスクを摩擦駆動させるための部品（搬送ローラなど）を配置するため、第２従来技術ではディスクに対し上下方向の、第３従来技術ではディスクに対し左右方向の寸法がトレイ方式に比べて増大してしまう。
【０００６】
また、上記第２従来技術では、搬送ローラがディスクの記録面に接触するため、この記録面に傷が発生したり、異物が付着する恐れがある。特に、ＣＤ−ＲやＣＤ−ＲＷなどの書き込み機能を備えたパーソナルコンピュータ用のディスクドライブ装置にあっては、上述のディスク記録面への傷の発生などは回避されなければならない。
【０００７】
上述の理由によって、スロットイン方式のローディング機構は操作性に優れているものの、パーソナルコンピュータ搭載のディスクドライブ装置には採用されていない。
【０００８】
本発明の目的は、上述の事情を考慮してなされたものであり、ディスクの記録面への異物の付着や傷の発生を防止できるディスクドライブ装置のローディング機構を提供することにある。また、本発明の他の目的は、小型化及び薄型化を実現できるディスクドライブ装置のローディング機構を提供することにある。
【０００９】
【課題を解決するための手段】
請求項１に記載の発明は、挿入されたディスクをチャッキング位置まで搬送するディスクドライブ装置のローディング機構において、装置フレームにおけるディスク挿入辺側に、当該挿入辺に沿ってばね付勢された状態で移動可能に設けられると共に、上記ディスクの周縁に当接可能なピンＡを有し、上記装置フレームにおける上記ディスク挿入辺に隣接する辺側に、上記ディスクの周縁に当接可能なピンＢを先端に備えると共に、ばね付勢された状態で回動可能に設けられたディスクアームを有し、ディスク挿入時に上記ピンＡと上記ピンＢが当該ディスクにより押し広げられ、変曲点通過後に、これらのピンＡとピンＢがばね付勢力により当該ディスクを上記装置フレームの内側へ押し込むよう構成されたことを特徴とするものである。
【００１０】
請求項２に記載の発明は、請求項１に記載の発明において、上記装置フレームにおけるディスク挿入辺に対向して、ディスクの周縁に当接可能なディスクストッパが回動可能に設けられ、このディスクストッパの回動により、上記ディスクがチャッキング位置に位置決めされるよう構成されたことを特徴とするものである。
【００１１】
請求項３に記載の発明は、請求項１または２に記載の発明において、装置フレームにおけるディスクアームに対向して、ディスクの周縁に当接可能なピンＣを備えたセンサリンクが回動可能に設けられ、ディスク挿入時に上記ピンＣが、チャッキング位置まで搬送されるディスクの位置を規制するよう構成されたことを特徴とするものである。
【００１２】
請求項４に記載の発明は、請求項１乃至３のいずれかに記載の発明において、上記センサリンクは、ディスクを規制する位置まで回動したときに、ディスクストッパを回動させる駆動系を起動させるよう構成されたことを特徴とするものである。
【００１３】
請求項５に記載の発明は、請求項１乃至４のいずれかに記載の発明において、上記ピンＡ、ピンＢ、ピンＣ及びディスクストッパは、ディスクがチャッキング位置においてターンテーブルにチャッキングされた後に、駆動系の動作により当該ディスクから退避されるよう構成されたことを特徴とするものである。
【００１４】
【発明の実施の形態】
以下、本発明の実施の形態を、図面に基づき説明する。
【００１５】
図１は、ディスクドライブ装置のローディング・イジェクトユニットにおける主要部品を示し、（Ａ）が正面図、（Ｂ）が後面図、（Ｃ）が前面図、（Ｄ）が右側面図、（Ｅ）が全体右側面図、（Ｆ）が左側面図である。また、図２は、図１のディスクドライブ装置の全体構成を、一部を省略して示し、（Ａ）が正面図、（Ｂ）が後面図、（Ｃ）が右側面図、（Ｄ）が左側面図である。
【００１６】
これらの図１及び図２に示すように、ディスクドライブ装置１０は、ＤＶＤまたはＣＤなどのディスク１１をチャッキング位置αまで搬送し、このチャッキング位置αにて上記ディスク１１をターンテーブル５４に装着（チャッキング）し、このターンテーブル５４を回転させつつピックアップ（不図示）を用いて、ディスク１１の記録面１１Ａから情報を読み取り、または記録面１１Ａに情報を書き込むものである。このディスクドライブ装置１０はローディング・イジェクトユニット１２、チャッキング・リリースユニット１３、図示しないピックアップユニット、およびシャーシユニット１４を有して構成される。ピックアップユニットが上記ピックアップを備える。
【００１７】
上記シャーシユニット１４は、上方に開口を備えた箱形状の装置フレーム１５内にシャーシ１６が設置され、装置フレーム１５の開口が図１（Ｃ）、（Ｅ）及び図４に示すアッパプレート１７にて閉塞されて構成される。シャーシ１６は、図１（Ｃ）及び（Ｄ）に示すようにコ字形断面形状を有し、ローディング・イジェクトユニット１２の主要部を搭載する。また、シャーシ１６とアッパプレート１７との間に、図１（Ｃ）及び図３に示すディスクカバー１８が設置される。このディスクカバー１８は、ローディング・イジェクトユニット１２にて装置フレーム１５内に搬入されたディスク１１に対し、その記録面１１Ａ側（裏面側）に配置される。
【００１８】
上記ローディング・イジェクトユニット１２は、図１に示すように、ディスクドライブ装置１０のユーザーにより装置フレーム１５のディスク挿入口（不図示）内に挿入されたディスク１１をチャッキング位置α（図２）まで搬送するものであり、ディスクスライダ１９、ディスクアーム２０、ディスクストッパ２３及びセンサリンク２４を有して構成される。
【００１９】
ディスクスライダ１９は、装置フレーム１５において、ディスク挿入口（不図示）を備えたディスク挿入辺２５側に配設される。このディスクスライダ１９は、シャーシ１６において上記ディスク挿入辺２５に対応するディスク挿入辺２６側に、このディスク挿入辺２６に沿ってスライド可能に設けられ、先端部にピンＡを備える。このピンＡは、ディスク１１の周面に当接可能に設けられる。また、ディスクスライダ１９は、スライドスプリング２７によりばね付勢された状態でスライド可能に設けられ、スライドスプリング２７のばね付勢力をピンＡを介してディスク１１へ付与可能とする。
【００２０】
上記ディスクアーム２０は、装置フレーム１５においてディスク挿入辺２５に隣接する一方の辺側に、枢支軸２８により回動自在に枢支され、先端部にピンＢを備える。このピンＢもディスク１１の周面に当接可能に設けられる。また、このディスクアーム２０は、スプリングアシスタ３０を介してアームスプリング３１によりばね付勢された状態で回動可能に設けられ、アームスプリング３１のばね付勢力をピンＢを介してディスク１１へ付与可能とする。
【００２１】
図６及び図７に示すように、ディスクドライブ装置１０のユーザーの手操作でディスク１１が装置フレーム１５内に挿入されたとき、ディスクスライダ１９及びディスクアーム２０は、それぞれのスライドスプリング２７、アームスプリング３１のばね付勢力に抗してディスク１１により押し広げられる。スライドスプリング２７、アームスプリング３１のばね付勢力は、ディスク１１の中心が、ディスクスライダ１９のピンＡとディスクアーム２０のピンＢとを結ぶ直線を超えてディスク１１が挿入された、つまりディスク１１が変曲点を通過して挿入された後には、このディスク１１を装置フレーム１５内へ押し込む力として作用する。
【００２２】
上記ディスクストッパ２３は、図１に示すように、装置フレーム１５におけるディスク挿入辺２５に対抗して位置づけられ、シャーシ１６のディスク挿入辺２６に隣接する、辺３２側に枢支軸３３を介して回動可能に枢支される。また、このディスクストッパ２３の先端部に、ディスク１１の周縁が当接可能に設けられる。枢支軸３３には、図５に示すように、ストッパ基板３４が回動可能に枢支され、このストッパ基板３４とディスクストッパ２３とでシャーシ１６を挟むように構成されている。これらのディスクストッパ２３とストッパ基板３４は、ストッパスプリング３５の付勢力によって一体回転可能とされ、またはストッパスプリング３５の付勢力に抗して独立して回転可能に構成されている。
【００２３】
ディスクストッパ２３がディスク１１により急激に押されたときに、このディスクストッパ２３がストッパ基板３４に対し独立して回転することにより、後述のカムメインプレート３８を含む連結リンク機構などの損傷が回避される。
【００２４】
ストッパ基板３４は、シャーシ１６に回転自在に軸支された回転リンク３６の一端とピン３７を用いて結合される。また、回転リンク３６の他端は、カムメインプレート３８のカム溝３９に係合される。このカムメインプレート３８に一体化されたカムサブプレート５０は、図１に示すように、それぞれがピン結合された第１リンク４１、第２リンク４２及び第３リンク４３の第１リンク４１にピン結合される。これらの第１リンク４１、第２リンク４２、及び第３リンク４３は、カムメインプレート３８と共にシャーシ１６の内側に配設される。第３リンク４３にはラック４４が形成され、このラック４４にギア列４５を介して、駆動源としての駆動モータ４０が結合される。
【００２５】
従って、図８〜図１１に示すように、上記駆動モータ４０の起動によりギア列４５、第３リンク４３、第２リンク４２、第１リンク４１及びサブカムプレート５０を介してカムメインプレート３８がスライドし、このカムメインプレート３８のカム溝３９によって回転リンク３６が回転し、ストッパ基板３４及びストッパスプリング３５を介してディスクストッパ２３が、ディスクドライブ装置１０の外方へ緩やかに回動される。この結果、ディスク１１のローディング時に、ディスクスライダ１９、ディスクアーム２０のばね付勢力により押し込められたディスク１１は、上述のように緩やかに回動するディスクストッパ２３に当接して、衝撃が作用することなく緩やかにチャッキング位置αまで案内され、このチャッキング位置αに位置決めされる。
【００２６】
なお、上記回転リンク３６、カムメインプレート３８、カムサブプレート５０、第１リンク４１、第２リンク４２、第３リンク４３及び後述のリンクスライダ４９が連結リンク機構およびスライド部材を構成し、この連結リンク機構に駆動モータ４０及びギア列４５を含めたものが、ディスクストッパ２３等を駆動させる駆動系を構成する。
【００２７】
前記センサリンク２４は、図１及び図５に示すように、装置フレーム１５においてディスクアーム２０と対向して位置づけられ、シャーシ１６の辺３２に枢支軸４６を介して回動自在に枢支される。このセンサリンク２４の基板部に、ディスク１１の周面に当接可能なピンＣが植設され、先端部に係止片４７が形成される。このセンサリンク２４の先端部側が、図５に示すようにリンクスプリング４８によりばね付勢されている。上記係止片４７は、カムメインプレート３８にピン結合されて相対移動可能に設けられたリンクスライダ４９の第１曲げ片５１に係止可能とされる。
【００２８】
ディスク１１がユーザーの手操作により挿入されてピンＣに当接したとき、センサリンク２４は、リンクスプリング４８のばね付勢力に抗して回動して外方へ押し広げられるが、係止片４７がリンクスライダ４９の第１曲げ片５１に当接することによって、それ以上の回動が規制される。このセンサリンク２４の回動規制は、ディスク１１がチャッキング位置α（図１１）へ搬送されるまで実施されるので、センサリンク２４のピンＣは、チャッキング位置αまで搬送されるディスク１１の位置規制部材として機能する。
【００２９】
また、上述のように、センサリンク２４の係止片４７がリンクスライダ４９の第１曲げ片５１に当接して、ピンＣがディスク１１を規制する位置までセンサリンク２４が回動したとき（図８）、このセンサリンク２４は、駆動モータ４０を起動させるための検出手段としての検出スイッチ２９（図５）をＯＮ動作させる。従って、この検出スイッチ２９のＯＮ動作により駆動モータ４０が起動されて、前述のように、ディスクストッパ２３のディスクドライブ装置１０外方への回動が開始される。
【００３０】
図６〜図１１に示すように、上述のように構成されたローディング・イジェクトユニット１２によって、ユーザーの手操作によりディスクドライブ装置１０内に挿入されたディスク１１は、回動規制されたセンサリンク２４のピンＣと、外方へ回動するディスクストッパ２３とにより位置規制された状態で、ディスクアーム２０及びディスクスライダ１９からのばね付勢力により装置フレーム１５内へ押し込められ、チャッキング位置αへ搬送される。このとき、ディスクストッパ２３が駆動モータ４０により緩やかに回動することによって、ディスク１１は、ディスクアーム２０及びディスクスライダ１９のばね付勢力で急激に押し込まれることなく、緩やかに押し込まれて、スムーズなローディングが実施される。
【００３１】
次に、前記チャッキング・リリースユニット１３について主に説明する。
【００３２】
このチャッキング・リリースユニット１３は、図１及び図２に示すように、ディスクスピンドル部５３、アッパプレート１７、ディスクカバー１８及び前記駆動系を有して構成され、ディスク１１をディスクスピンドル部５３のターンテーブル５４に装着させ、またはリリースさせるものである。
【００３３】
ディスクスピンドル部５３は上記ターンテーブル５４（図１６）と、このターンテーブル５４を回転させるスピンドルモータ５５とが一体化され、スピンドルモータ５５がモータプレート５６に支持されて構成される。このモータプレート５６に、複数本の係止爪５７、５８及び５９が所定距離離れて一体成形されている。この係止爪５７が、上記駆動系を構成する第３リンク４３のカム溝６０（図１３）に係合可能とされ、係止爪５８が第１リンク４１のカム溝６１（図１４）に、係止爪５９がカムサブプレート５０のカム溝６２（図１）にそれぞれ係合可能とされる。
【００３４】
駆動モータ４０の回転により第３リンク４３、第２リンク４２、第１リンク４１、カムサブプレート５０、カムメインプレート３８及び回転リンク６０などの作用で、ディスクストッパ２３がディスク１１をチャッキング位置α（図２）へ案内した後に、引き続き回転する駆動モータ４０の駆動力によって第３リンク４３、第１リンク４１及びカムサブプレート５０がスライドされ、図１２〜図１４に示すように、上記係止爪５７及びカム溝６０、係止爪５８及びカム溝６１、係止爪５９及びカム溝６２の作用で、ディスクスピンドル部５３が昇降、つまりチャッキング位置αに位置付けられたディスク１１に対し接離可能とされる。これにより、ディスク１１の記録面１１Ａから情報を読み取り、または記録面１１Ａへ情報を書き込み可能とする前記ピックアップ（不図示）に対しスピンドル部５３が相対移動可能に構成される。
【００３５】
このディスクスピンドル部５３では、図２及び図１２に示すように、モータプレート５６にガイド部材としてのガイドポスト６３が挿通されている。このガイドポスト６３は装置フレーム１５に立設されたものであり、ディスクスピンドル部５３が平行（水平）に昇降するように、このディスクスピンドル部５３を案内する。また、ディスクスピンドル部５３は、図１２及び図１３に示すように、各係止爪５７、５８、５９がそれぞれカム溝６０、６１、６２に係合される前までの初期状態では、第１リンク４１の底部６４がモータプレート５６に当接することによって、その姿勢が水平に保持される。
【００３６】
上記ディスクスピンドル部５３には、図１２及び図１６に示すように、ディスク１１のセンターホール周縁１１Ｂを保持可能とする、チャッキング爪６５を備えたディスク保持部６６が設置されている。このチャッキング爪６６は、ばね付勢力により進退可能に設けられて、進出時にディスク１１のセンターホール周縁１１Ｂを保持して、このディスク１１をターンテーブル５４に装着する。このディスク１１のターンテーブル５４への装着時に、ディスク１１に対しディスクスピンドル部５３と反対位置に位置付けられた前記アッパプレート１７が受け部材として機能する。
【００３７】
このアッパプレート１７は、図４及び図１６に示すように、ディスク１１が当接可能な位置に、このディスク１１側へ突出する凸部６７を備え、この凸部６７においてディスク１１の搬送方向両側にテーパ面６７Ａが形成されている。また、上記凸部６７の中央部分には、ディスクスピンドル部５３の昇降時にディスク保持部６６が挿通可能な挿通孔６８が形成されている。
【００３８】
尚、このアッパプレート１７におけるディスク１１の挿入側には、外方へ向かってディスク１１側へ突出するテーパ面６９が形成される。これにより、ディスク１１搬送時にディスク１１の周縁のみがテーパ面６９に当接して、ディスク１１とアッパプレート１７との接触面積が低減される。また、このアッパプレート１７におけるディスク１１側には、ディスク１１への損傷を防止するための塗装が施されている。
【００３９】
ディスクスピンドル部５３の上述の上昇動作によって、チャッキング位置αに位置付けられたディスク１１が、上記ディスク保持部６６及びアッパプレート１７を用いてターンテーブル５４に装着される。
【００４０】
つまり、図１６（Ａ）に示すように、ディスク１１がチャッキング位置αに搬送（ローディング）された状態では、ディスク１１の中心とディスクスピンドル部５３の中心とが一致しており、このディスクスピンドル部５３が最下降位置にある。この図１６（Ａ）に示す状態からディスクスピンドル部５３が上昇すると、このディスクスピンドル部５３のディスク保持部６６がディスク１１に当たり、このディスク１１がアッパプレート１７の凸部６７に当接して、ディスク１１がディスク保持部６６とアッパプレート１７とに挟持される（図１６（Ｂ））。
【００４１】
ディスクスピンドル部５３が更に上昇すると、ディスク保持部６６がアッパプレート１７の挿通孔６８内に挿通され、ディスク１１がアッパプレート１７の凸部６７を押圧する反力（押圧反力）で、ディスク保持部６６のチャッキング爪６５がばね付勢力に抗して退行したのち進出して、ディスク１１のセンターホール周縁１１Ｂを保持する。これにより、ディスク１１がターンテーブル５４に装着されチャッキングされる（図１６（Ｃ））。その後、第３リンク４３、第１リンク４１、カムサブプレート５０におけるそれぞれのカム溝６０、６１、６３の形状によってディスクスピンドル部５３が下降し、ターンテーブル５４に装着されたディスク１１とアッパプレート１７の凸部６７との間に隙間が形成される（図１６（Ｄ））。この図１６（Ｄ）の状態が、ディスクドライブ装置１０のプレイ可能状態である。
【００４２】
上記第３リンク４３、第１リンク５１、カムサブプレート５０のそれぞれのカム溝６０、６１、６３のうち、第３リンク４３のカム溝６０の形状を、代表して図１５に示す。係止爪５７がカム溝６０のメイン傾斜領域６０Ａを移動する時にディスクスピンドル部５３が上昇し（図１６（Ｂ）に対応）、係止爪５７が、メイン傾斜領域６０Ａに連続する最頂領域６０Ｂに至った時に、ディスクスピンドル部５３が更に上昇して、このディスクスピンドル部５３のディスク保持部６６がディスク１１のセンターホール周縁１１Ｂを保持してディスク１１を装着（チャッキング）する（図１６（Ｃ）に対応）。係止爪５７が、最頂領域６０Ｂに連続する退避領域６４に至った時に、ディスクスピンドル部５０は下降して、ターンテーブル５４に装着されたディスク１１とアッパプレート１７との間に隙間が形成され、プレイ可能状態位置となる（図１６（Ｄ）に対応）。
【００４３】
係止爪５７がカム溝６０の退避領域６４に至った時（図１５（Ｂ））、この係止爪５７に延在する延在部７１が、第３リンク４３に設けられたローラ７２に載置される。係止爪５７の延在部７１がローラ７２に載置されると同時に、図１４に示すように、モータプレート５６の係止爪５９近傍部分が、カムサブプレート５０に設けられたローラ７４に載置される。これらのローラ７２、７４は、第３リンク４３、カムサブプレート５０にそれぞれ植設されたピン７３、７５に遊嵌されたものであり、ディスクスピンドル部５３をプレイ可能状態位置に保持する保持手段である。なお、この保持手段は、ピン７３、７５のみであってもよい。
【００４４】
ディスクスピンドル部５３のプレイ可能状態位置で、延在部７１をローラ７２に載置させ、モータプレート５６の係止爪５９近傍部分をローラ７４に載置させることによって当該状態を保持するのは、係止爪５７とカム溝６０、係止爪５８とカム溝６１、係止爪５９とカム溝６２との係合により上記プレイ可能状態位置を保持すると、カム溝６０、６１、６２の摩耗により当該位置が変化して、ピックアップとの相対位置がずれてしまう恐れがあるためである。これにより、ディスクドライブ装置１０をＤＶＤプレーヤとして機能させることが可能となる。
【００４５】
上述のようにディスクスピンドル部５３がプレイ可能状態位置に至る時または至った時に、引き続き回転する駆動モータ４０の駆動力によって、前述のローディング・イジェクトユニット１２が動作して、図１１及び図１７に示すように、センサリンク２４、ディスクストッパ２３及びディスクアーム２０がディスク１１から退避する。
【００４６】
つまり、ディスクスピンドル部５３のディスク保持部６６によりターンテーブル５４にディスク１１が装着された後に、駆動モータ４０の駆動力によってリンクスライダ４９がカムメインプレート３８と共にスライドすると、図１８に示すように、まず、このリンクスライダ４９の第１曲げ片５１がセンサリンク２４の係止片４７を係止することによるセンサリンク２４の回動規制が解除される。つぎに、リンクスライダ４９の第２曲げ片５２がセンサリンク２４の最先端片７６を押圧して、センサリンク２４をリンクスプリング４８のばね付勢力に抗して回動させる。これにより、センサリンク２４の基端部のピンＣがディスク１１から遠ざかり退避する。
【００４７】
また、上述のように、駆動モータ４０の駆動力によってリンクスライダ４９がカムメインプレート３８と共にスライドすると、図１７に示すように、カムメインプレート３８のカム溝３９に押されて回転リンク３９が回動し、ストッパ基板３４のピン３７を介して、ディスクアーム２０はディスク１１から遠ざかる方向に回動してディスク１１から退避する。
【００４８】
同様に、ディスクスピンドル部５３のディスク保持部６６によりターンテーブル５４にディスク１１が装着された後に、図１９に示すように駆動モータ４０の駆動力によって第３リンク４３がスライドすると、この第３リンク４３に形成された舌片７７がディスクアーム２０の係合片７８に係合して、このディスクアーム２０をアームスプリング３１のばね付勢力に抗して回動させる。これにより、ディスクアーム２０のピンＢがディスク１１から遠ざかり退避する。
【００４９】
このように、ディスクスピンドル部５３のターンテーブル５４にディスク１１が装着（チャッキング）されてディスクスピンドル部５３がプレイ可能状態位置に位置づけられ、センサリンク２４、ディスクストッパ２３及びディスクアーム２０がディスク１１から退避された状態で、ターンテーブル５４がスピンドルモータ５５により回転され、ピックアップにより、回転するディスク１１の記録面１１Ａから情報が読み取られ、または記録面１１Ａに情報が書き込まれて、プレイが実行される。
【００５０】
このプレイの実行後に通常実行されるディスク１１のリリース動作はチャッキング・リリースユニット１３を用いて、またディスク１１のイジェクト動作はローディング・イジェクトユニット１２を用いてそれぞれ実行される。
【００５１】
チャッキング・リリースユニット１３を構成する係止部材としての前記ディスクカバー１８は、図２０に示すように、ディスクスピンドル部５３のターンテーブル５４に装着されたディスク１１に対し、その裏面の記録面１１Ａ側に配置される。このディスクカバー１８は、図３に示すように、中央位置に絞り部７９を備え、この絞り部７９が、ディスク１１の記録面１１Ａ以外に相当するディスク１１のセンターホール周縁部１１Ｃを係止可能とする。
【００５２】
なお、ディスクカバー１８には、絞り部７９の周囲にテーパ面８０が形成されて、この絞り部７９によるディスク１１の損傷が防止される。また、ディスクカバー１８におけるディスク１１挿入側には、外方へ向かってディスク１１側へ突出するテーパ面８１が形成されている。このテーパ面８１により、ディスク１１の搬送時にディスク１１の周縁のみがテーパ面８１に当接して、これらのディスク１１とディスクカバー１８との接触面積が低減される。更に、ディスクカバー１８におけるディスク１１側には、このディスク１１への損傷を防止するための塗装が施されている。
【００５３】
図２０に示すように、ターンテーブル５４にディスク１１を装着したディスクスピンドル部５３の下降動作（リリース方向の移動動作）によって、ディスク１１はディスクカバー１８に係止されてターンテーブル５４からリリースされる。
【００５４】
つまり、図２０（Ａ）に示すプレイ可能状態位置にディスクスピンドル部５３が位置付けられた状態で、駆動モータ４０がチャッキング時とは逆方向に回転されると、第３リンク４３、第２リンク４２、第１リンク４１及びカムサブプレート５０がスライドし、第３リンク４３のカム溝６０、第１リンク４１のカム溝６１、カムサブプレート５０のカム溝６２の作用でディスクスピンドル部５３が下降する。このディスクスピンドル部５３の下降過程で、ターンテーブル５４に装着されたディスク１１のセンターホール周縁部１５Ｃがディスクカバー１８の絞り部７９に当接して係止される（図２０（Ｂ））。更に、ディスクスピンドル部５３が下降することによりディスク１１が絞り部７９上に残され、ディスクスピンドル部５３のみが下降して、ディスク１１がターンテーブル５４からリリースされる（図２０（Ｃ））。
【００５５】
ローディング・イジェクトユニット１２を用いたディスク１１のイジェクト動作は、図２に示すように、引き続き逆回転する駆動モータ４０の駆動力によって実施される。
【００５６】
つまり、この駆動モータ４０の駆動力がギア列４５、第３リンク４３、第２リンク４２、第１リンク４１、カムサブプレート５０及びカムメインプレート３８を介して回転リンク３６へ伝達され、この回転リンク３６の回転によりディスクストッパ２３が、ディスク１１を装着フレーム６５から外方へ排出する方向に回動する。これにより、ディスク１１は、ディスクアーム２０に作用するアームスプリング３１とディスクスライド１９に作用するスライドスプリング２７のばね付勢力に抗して、ディスクドライブ装置１０外へ排出される。
【００５７】
以上のように構成されたことから、上記実施の形態によれば、次の効果（１）〜（１０）を奏する。
【００５８】
（１）ディスクスライダ１９が、ディスク１１の周縁に当接可能なピンＡを備え、このピンＡを用いてディスク１１を押し込み可能とし、また、ディスクアーム２０が、ディスク１１の周縁に当接可能なピンＢを備え、このピンＢを用いてディスク１１を装置フレーム１５内へ押し込み可能とすることから、ディスク１１を搬送するディスクスライダ１９及びディスクアーム２０が、ディスク１１の記録面１１Ａに接触することがない。この結果、記録面１１Ａへの損傷の発生や、異物の付着を確実に防止できる。
【００５９】
（２）ディスクスライダ１９がスライドスプリング２７のばね付勢力の作用でピンＡを介してディスク１１を装置フレーム１５内へ押し込み、また、ディスクアーム２０が、アームスプリング３１のばね付勢力の作用でピンＢを介してディスク１１を装置フレーム１５内へ押し込むことから、従来技術のような搬送ローラや搬送ベルトなどを駆動するための部品（モータやギア列）が不要となる。このため、ディスクドライブ装置１０を小型化及び薄型化でき、ノート型パーソナルコンピュータなどにディスクドライブ装置１０を好適に適用できる。
【００６０】
（３）ユーザーが装置フレーム１５のディスク挿入口（不図示）にディスク１１を挿入した後、ディスクスライダ１９及びディスクアーム２０がディスク１１を装置フレーム１５内へ搬送（ローディング）し、また、ディスクストッパ２３が駆動モータ４０の駆動力によってディスク１１を装置フレーム１５外へ搬送（イジェクト）することから、ディスク１１のローディング時の操作性を向上させることができる。
【００６１】
（４）ディスク１１を装着するターンテーブル５４と、このターンテーブル５４を回転するスピンドルモータ５５とを備えたディスクスピンドル部５３が、チャッキング位置αに位置付けられたディスク１１に対し移動し、ピックアップが固定されたことから、ディスク１１のローディング時に邪魔になるディスクスピンドル部５３のみを昇降させることができるので、デッドスペースを低減でき、この点からもディスクドライブ装置１０の小型化及び薄型化を実現できる。
【００６２】
（５）ディスクスピンドル部５３がディスク１１に向かうほぼ最終位置、つまりモータプレート５６の係止爪５７、５９がそれぞれ第３リンク４３のカム溝６０の退避領域６０Ａ、カムサブプレート５０のカム溝６２の退避領域に係合する位置で、係止爪５７から延在する延在部７１がローラ７２に載置され、モータプレート５６における係止爪５９近傍部分がローラ７４に載置されて、ディスクスピンドル部５３がプレイ可能状態位置に保持される。このため、カム溝６０、６２が係止爪５７、５９によりそれぞれ摩滅してしまっても、ディスクスピンドル部５３のプレイ可能状態位置のピックアップに対する高さを正確に確保できる。従って、ディスクスピンドル部５３とピックアップとの位置精度が重視されるＤＶＤプレーヤ用のディスクドライブ装置にこの発明を好適に適用できる。
【００６３】
更に、カム溝６０、６２が係止爪５７、５９によりそれぞれ摩滅してしまっても、ディスクスピンドル部５３のプレイ可能状態位置を正確に確保できるので、このディスクスピンドル部５３が狭隘なスペース内で他の部品に対し不用意に接触するなどの不具合を回避できる。
【００６４】
（６）ターンテーブル５４を備えるディスクスピンドル部５３が、チャッキング位置αに位置付けられたディスク１１に対し接離可能に設けられ、ディスク１１を境にディスクスピンドル部５３と反対位置にアッパプレート１７が設置され、ディスクスピンドル部５３をディスク１１に対し接近させてこのディスク１１をアッパプレート１７に押圧することにより、その押圧反力でディスク１１をターンテーブル５４に装着しチャッキングすることから、ユーザーが手操作によってディスク１１をチャッキングする必要がない。このため、ディスク１１をターンテーブル５４に装着（チャッキング）する操作性を向上させることができる。
【００６５】
（７）ディスクスピンドル部５３をディスク１１に接近してディスク１１をアッパプレート１７に押圧することにより、その押圧反力によってディスク１１のセンターホール周縁１１Ｂをディスク保持部６６のチャッキング爪６５に係止させてディスク１１をターンテーブル５４に装着しチャッキングするので、クランパリングなどが不要となって、ディスクドライブ装置１０の小型化及び薄型化を実現できる。
【００６６】
（８）挿入されたディスク１１をチャッキング位置αへ押し込むディスクアーム２０と、ディスク１１を保持してチャッキング位置αまで導くディスクストッパ２３と、チャッキング位置αまで移動するディスク１１の位置を規制するセンサリンク２４とが、ディスク１１のターンテーブル５４への装着（チャッキング）時に、同一の駆動モータ４０の駆動力によりディスク１１から退避されるよう構成されたことから、簡単な構造で良好にディスクアーム２０、ディスクストッパ２３及びセンサリンク２４をディスク１１から退避させることができる。
【００６７】
（９）ターンテーブル５４にディスク１１が装着された状態でディスクスピンドル部５３をリリース方向に移動させ、これによりディスク１１をディスクカバー１８に係止させて、このディスクカバー１８上にディスク１１を残し、この結果、ディスクスピンドル部５３のディスク保持部６６からディスク１１を外して、ターンテーブル５４からディスクをリリースするので、ユーザーが手操作でディスク１１をターンテーブル５４からリリースする必要がなく、ディスクリリースの操作性を向上させることができる。
【００６８】
（１０）ターンテーブル５４に装着されたディスク１１をリリースするためのディスクカバー１８に対し、ディスクスピンドル部５３が軸方向に移動可能に設けられ、クランパリングを持ち上げる機構や、ディスクを持ち上げる機構等が不要となるので、ディスクドライブ装置１０を小型化及び薄型化できる。
【００６９】
以上、本発明を上記実施の形態に基づいて説明したが、本発明はこれに限定されるものではない。
【００７０】
【発明の効果】
以上のように、本発明に係るディスクドライブ装置のローディング機構によれば、ディスクの記録面への異物の付着や傷の発生を防止できる。また、本ディスクドライブ装置のローディング機構によれば、ディスクドライブ装置の小型化及び薄型化を実現できる。
【図面の簡単な説明】
【図１】ディスクドライブ装置のローディング・イジェクトユニットにおける主要部品を示し、（Ａ）が正面図、（Ｂ）が後面図、（Ｃ）が前面図、（Ｄ）が右側面図、（Ｅ）が全体右側面図、（Ｆ）が左側面図である。
【図２】図１のディスクドライブ装置の全体構成を、一部を省略して示し、（Ａ）が正面図、（Ｂ）が後面図、（Ｃ）が右側面図、（Ｄ）が左側面図である。
【図３】図１のディスクカバーを示し、（Ａ）が正面図、（Ｂ）が図３（Ａ）のＩＩＩＢ‐ＩＩＩＢ線に沿う断面図、（Ｃ）が前面図である。
【図４】図１のアッパケースを示し、（Ａ）が正面図、（Ｂ）が図４（Ａ）のＩＶＢ‐ＩＶＢ線に沿う断面図、（Ｃ）が図４（Ａ）のＩＶＣ‐ＩＶＣ線に沿う断面図である。
【図５】図１のセンサリンク、回転リンク及びメインカムプレート周囲を示し、（Ａ）が正面図、（Ｂ）が左側面図である。
【図６】図１のローディング機構によるディスク挿入開始状態を示す正面図である。
【図７】図１のローディング機構におけるディスクのローディング（搬送）開始時の動作を示す正面図である。
【図８】図１のローディング機構における駆動モータ起動時の動作を示す正面図である。
【図９】図１のローディング機構によるディスクのローディング動作途中（その１）を示す正面図である。
【図１０】図１のローディング機構によるディスクのローディング動作途中（その２）を示す正面図である。
【図１１】図１のローディング機構によるディスクのローディング動作完了状態（チャッキング位置状態）を示す正面図である。
【図１２】図２のディスクスピンドル部の初期位置を示し、（Ａ）が正面図、（Ｂ）が右側面図である。
【図１３】図２のディスクスピンドル部の上昇開始位置を示し、（Ａ）が正面図、（Ｂ）が右側面図である。
【図１４】図２のディスクスピンドル部の上昇終了位置を示し、（Ａ）が正面図、（Ｂ）が右側面図である。
【図１５】図１２〜図１４における第３リンクのカム溝とディスクスピンドル部の係止片との関係を示し、（Ａ）が図１３に対応する図、（Ｂ）が図１４に対応する図である。
【図１６】ディスクスピンドル部の昇降により実行されるディスクのチャッキング動作を主に示す側面図である。
【図１７】図１のローディング機構におけるプレイ位置状態を示す正面図である。
【図１８】図５のリンクスライダによるセンサリンクの動作を示し、（Ａ）、（Ｂ）がディスクチャッキング位置までの正面図、左側面図であり、（Ｃ）、（Ｄ）がプレイ位置状態での正面図、左側面図である。
【図１９】図１７の第３リンクによるディスクアームの動作を示し、（Ａ）、（Ｂ）がチャッキング位置までの正面図、右側面図、（Ｃ）、（Ｄ）がプレイ位置状態での正面図、右側面図である。
【図２０】ディスクスピンドル部の昇降により実行されるディスクリリース動作を示す側面図である。
【符号の説明】
１０　ディスクドライブ装置
１１　ディスク
１１Ａ　記録面
１１Ｂ　センターホール周縁
１１Ｃ　センターホール周縁部
１２　ローディング・イジェクトユニット
１３　チャッキング・リリースユニット
１４　シャーシユニット
１５　装置フレーム
１６　シャーシ
１７　アッパプレート
１８　ディスクカバー
１９　ディスクスライダ
２０　ディスクアーム
２３　ディスクストッパ
２４　センサリンク
２５　ディスク挿入辺
２７　スライダスプリング
２９　検出スイッチ（検出手段）
３１　アームスプリング
３４　ストッパ基板
３８　カムメインプレート
４０　駆動モータ
４１　第１リンク
４２　第２リンク
４３　第３リンク
４９　リンクスライダ
５２　第２曲げ片
５３　ディスクスピンドル部
５４　ターンテーブル
５５　スピンドルモータ
５６　モータプレート
５７、５８、５９　係止片
６０、６１、６２　カム溝
６６　ディスク保持部
６７　凸部
６８　挿通孔
７１　延在部
７２、７４　ローラ
７６　最先端片
７７　舌片
７９　絞り部
Ａ、Ｂ、Ｃ　ピン
α　チャッキング位置
【図１】
2004039200.tif 000003
【図２】
2004039200.tif 000004
【図３】
2004039200.tif 000005
【図４】
2004039200.tif 000006
【図５】
2004039200.tif 000007
【図６】
2004039200.tif 000008
【図７】
2004039200.tif 000009
【図８】
2004039200.tif 000010
【図９】
2004039200.tif 000011
【図１０】
2004039200.tif 000012
【図１１】
2004039200.tif 000013
【図１２】
2004039200.tif 000014
【図１３】
2004039200.tif 000015
【図１４】
2004039200.tif 000016
【図１５】
2004039200.tif 000017
【図１６】
2004039200.tif 000018
【図１７】
2004039200.tif 000019
【図１８】
2004039200.tif 000020
【図１９】
2004039200.tif 000021
【図２０】
2004039200.tif 000022